(57)【要約】【課題】  ディスプレイ装置のスペースを有効活用してカードスロットを配置し、カードの挿入や取出し操作及び各種操作キーをユーザが操作し易くしたディスプレイ装置を提供することを目的とする。【解決手段】  筐体は天井部から背面部にかけて傾斜した外周形状を有し、この筐体の傾斜部に内側方向に向かって階段状の収納部を形成する。この収納部の水平面には、ディスプレイ本体の奥行き方向と直交する方向にそれぞれ挿入口が並べて形成され、筐体の垂下方向に延びて複数のカードスロットが配置され、カードスロット近傍の筐体天井部にカードスロットと平行に並べて複数の操作キーを配置したことを特徴とする。【選択図】  図３
2005223688.tif 000002
【特許請求の範囲】
【請求項１】
天井部から背面部にかけて傾斜した外周形状を有する機器筐体と、
前記筐体の傾斜部に筐体内側方向に向かって階段状に形成された収納部と、
前記収納部の水平面に前記筐体の奥行き方向と直交する方向にそれぞれ挿入口が並べて形成され、前記筐体の垂下方向に延びて配置された複数のカードスロットと、を備えたことを特徴とするカードスロット構造。
【請求項２】
天井部から背面部にかけて傾斜した外周形状を有する筐体と、この筐体の前面部に取り付けられた表示パネルとを有するフラット型ディスプレイ本体と、
前記筐体の傾斜部に筐体内側方向に向かって階段状に形成され、前記表示パネルの面に対してほぼ直交するような水平面を有する収納部と、
前記収納部の水平面に、前記ディスプレイ本体の奥行き方向と直交する方向にそれぞれ挿入口が並べて形成され、前記筐体の垂下方向に延びて配置された複数のカードスロットと、を備えたことを特徴とするディスプレイ装置。
【請求項３】
天井部から背面部にかけて傾斜した外周形状を有する筐体と、この筐体の前面部に取り付けられた表示パネルとを有するフラット型ディスプレイ本体と、
前記筐体の傾斜部に筐体内側方向に向かって階段状に形成され、前記表示パネルの面に対してほぼ直交するような水平面を有する収納部と、
前記収納部の水平面に、前記ディスプレイ本体の奥行き方向と直交する方向にそれぞれ挿入口が並べて形成され、前記筐体の垂直方向に延びて配置された複数のカードスロットと、
前記筐体天井部の前記カードスロット近傍に設けられ、このカードスロットと平行に並べて配置した複数の操作キーとを備えたことを特徴とするディスプレイ装置。
【請求項４】
前記複数のカードスロットは、それらに挿入されるカードの種類に応じて長さを異ならせたことを特徴とする請求項２又は３記載のディスプレイ装置。
【請求項５】
前記収納部を覆うように、前記筐体の背面部側に回動支点を有する扉を設けたことを特徴とする請求項２又は３記載のディスプレイ装置。
【請求項６】
前記扉は、前記回動支点を中心にして開いたとき、前記表示パネルの前面側から見える位置に前記カードスロットに関する説明が記載されていることを特徴とする請求項５記載のディスプレイ装置。
【発明の詳細な説明】
【技術分野】
【０００１】
本発明は、複数のカードスロットを有するディスプレイ装置に係り、特にカードスロットの配置構造を改良した液晶ディスプレイやプラズマディスプレイ等のフラットパネル型のディスプレイ装置に関する。
【背景技術】
【０００２】
従来、画像表示のために各種ディスプレイ装置が用いられているが、最近では薄型で比較的大画面のディスプレイ装置として、例えば液晶ディスプレイやプラズマディスプレイ等によるフラットパネル型のディスプレイ装置が普及している。
【０００３】
このようなディスプレイ装置は、薄型であることから壁掛けタイプや、ディスプレイ本体をスタンド上に支持するタイプが一般的である。また、最近ではメモリカードに記録された画像データや音声データを再生することができるようにしたディスプレイ装置も普及している。上記メモリカードは、ディスプレイ本体に設けたカードスロットに挿入することでメモリカードに記録された画像情報等が読み出され、ディスプレイ上に画像を表示可能にしている。また、複数のカードスロットを備え、種類の異なる複数のメモリカードを挿入可能にしたディスプレイ装置もある。
【０００４】
ところで、ディスプレイ装置が液晶ディスプレイやプラズマディスプレイ等のフラットパネル型の場合、その奥行き寸法が狭くなるため、カードスロットの配置を決める際に自由度が少ないという問題点がある。即ち、陰極線管タイプのディスプレイを有する機器では、奥行き寸法を比較的大きくとれるため、カードスロットはディスプレイ装置の前面等に容易に設けることができる。しかしながら、奥行きが短くなるに従ってカードスロットの配置に苦心しており、またカードスロットの数が増加すると、より一層カードスロットの配置に制限を受けることになる。
【０００５】
特許文献１には、奥行きの薄い映像表示装置において、複数のカードスロットを並べて配置した例が記載されている。この特許文献１の場合、表示装置の前面上部に複数のカードスロットを横方向に並べて配置し、表示装置の前面側からカードをそれぞれ横向きに挿入する例が記載されている。しかしながら、この例では表示装置の奥行き寸法がさらに狭くなった場合には、カードスロットを設けることが困難になるし、カードスロット部分が横に広がりスペースを多く必要とする。又、特許文献１には、表示装置の側面に複数のカードスロットを縦列配置し、表示装置の側面側からカードをそれぞれ縦向きに挿入する例や、表示装置の側面に複数のカードスロットを上下に多段的に並べて配置し、表示装置の側面側からカードをそれぞれ横向きに挿入可能にした例も記載されている。しかしながら、このような例では、カードスロットを設けるために拡張スペースを設ける必要がある。
【特許文献１】特開平１１−２２０６７９号公報（第５頁、図５，６，７）
【発明の開示】
【発明が解決しようとする課題】
【０００６】
上記したようなディスプレイ装置では、装置が薄型になるほどカードスロットを設置する上で、設計上困難な点が多くなり、また、カードスロット用に専用スペースを追加する必要があった。さらに、ディスプレイ装置には各種の操作キー（チャンネル・アップダウンキーや音量アップダウンキー等）が一般的に設けられているが、カードスロットの位置と各種操作キーの位置が離れていたりして操作性が劣ると言う不都合もあった。
本発明は上記した点に鑑み、ディスプレイ装置のスペースを有効活用してカードスロットを配置し、カードの挿入や取出し操作及び各種操作キーをユーザが操作し易くしたカード
スロット構造及びディスプレイ装置を提供することを目的とする。
【課題を解決するための手段】
【０００７】
本発明はこのような問題点を解決するためになされたカードスロット構造であって、天井部から背面部にかけて傾斜した外周形状を有する機器筐体と、前記筐体の傾斜部に筐体内側方向に向かって階段状に形成された収納部と、前記収納部の水平面に前記筐体の奥行き方向と直交する方向にそれぞれ挿入口が並べて形成され、前記筐体の垂下方向に延びて配置された複数のカードスロットと、を備えたことを特徴とする。
【０００８】
また本発明のディスプレイ装置は、天井部から背面部にかけて傾斜した外周形状を有する筐体と、この筐体の前面部に取り付けられた表示パネルとを有するフラット型ディスプレイ本体と、前記筐体の傾斜部に筐体内側方向に向かって階段状に形成され、前記表示パネルの面に対してほぼ直交するような水平面を有する収納部と、前記収納部の水平面に、前記ディスプレイ本体の奥行き方向と直交する方向にそれぞれ挿入口が並べて形成され、前記筐体の垂下方向に延びて配置された複数のカードスロットと、を備えたことを特徴とする。
【０００９】
さらに、本発明のディスプレイ装置は、前記筐体天井部の前記カードスロット近傍にカードスロットと平行に並べて配置した複数の操作キーとを備えたことを特徴とする。
【発明の効果】
【００１０】
本発明のカードスロット構造及びディスプレイ装置によれば、カードスロットを階段状の収納部に配置することにより、ディスプレイ装置が薄型になってもカードスロットを設けるスペースを確保することができ、ディスプレイ装置のデザイン形状に合わせて、スペースを無駄なく利用することができる。
【発明を実施するための最良の形態】
【００１１】
以下、図面を参照しながら本発明のカードスロット構造及びディスプレイ装置について詳細に説明する。
【実施例１】
【００１２】
図１（ａ）は本発明のディスプレイ装置を前面から見た場合の正面図、（ｂ）は側面図、図２は本発明のディスプレイ装置のカードスロット部分を上から見た場合の平面図、図３は、本発明のディスプレイ装置のカードスロット部分を背面上方から見た場合の斜視図である。まず、図１を参照してディスプレイ装置の概略的な構成について説明する。
【００１３】
図１（ａ）において、ディスプレイ装置１は、ディスプレイ本体２と、このディスプレイ本体２を支えるスタンド３から構成されている。ディスプレイ本体２は例えば液晶ディスプレイやプラズマディスプレイ等からなる薄型のフラットパネルであり、画像を表示する表示パネル１１と、その表示パネル１１を収容した筐体１２を有している。尚、筐体１２は前面枠１３とバックカバー１４とを組み合わせて成り、図１（ｂ）で示すように、天井部から背面部にかけて傾斜した外周形状を有している。即ち、バックカバー１４は、その上部が円弧形状の斜面１５を有している。
【００１４】
さらに、筐体１２の上部（前面枠１３とバックカバー１４の接合部分）には各種の操作キー１６を有するボード１７が取付けられており、ユーザはこれらキー１６を操作することで、各種の操作を行うことができる。操作キー１６は図２で示すように複数のキーが並べて配置されており、例えばチャンネル切り替えや音量調整ができるようになっている。
【００１５】
また、ボード１７の近傍にはカードスロット２１，２２が平行に設けられている。カー
ドスロット２１，２２は、前記ボード１７よりも僅かに斜面１５側に形成された収納部１８に配置され、収納部１８は、斜面１５に対して階段状に設けられている。
【００１６】
収納部１８は、図３で示すように、筐体１２の内側方向に向かって階段状を成し、水平面１９と垂直面２０を有し、前記水平面１９にカードスロット２１，２２が垂下して設けられている。カードスロット２１，２２は、上から見た場合、図２で示すようにその挿入口の長手方向が操作キー１６の並び方向と平行、つまりディスプレイ本体２の奥行き方向と直交するように並べて設けられている。
【００１７】
また、前記収納部１８は、開閉自在な蓋２３で覆うことができるようにしている。図３で示すように、収納部１８の下側端部には枢軸２４が形成され、扉２３にはそれに対向して穴２５が形成され、枢軸２４を穴２５に嵌合することにより、扉２３は枢軸２４を支点として開閉自在となる。また、扉２３の回動端部には係止部材２６が設けられ、収納部２８の垂直面２０には、ロック機構２７が設けられている。ロック機構２７は例えばプッシュ・プッシュ式のものであり、扉２３の回動端部を収納部１８側に押すと係止部材２６はロック機構にロックされ、再度押すことによりロックが解除され蓋２３を開けることができる。こうして扉２３は、筐体１２の天井部側が回動端となり、筐体１２の背面側が回動支点となり、表示パネル１１の前面側から開閉できるようになっている。
【００１８】
図２は蓋２３を開いた状態を上から見たときの図である。通常時、扉２３は閉じているが、扉２３を開くと、収納部１８が露出しカードスロット２１，２２が現れ、ユーザはカードスロット２１又は２２にカードを挿入することができる。又、扉２３を開くと、その内側の面にはカードスロット２１，２２についての解説が記載されている。例えばカードスロット２１に関しては、そこに挿入可能なカードの種類２１ａやカードの取出し方についての説明２１ｂが記載されている。同様にカードスロット２２に関しても、そこに挿入可能なカードの種類２２ａやカードの取出し方についての説明２２ｂが記載されている。
【００１９】
カードスロット２１，２２に挿入されるカードとしては、例えばメモリカードがあり、ＳＤカード（登録商標）やデジタルカメラ等の画像情報記憶媒体に用いられるスマートメディア（登録商標）の他、半導体メモリカード等がある。
【００２０】
本発明の実施例によれば、カードスロット２１，２２は、バックカバーの斜面部１５に形成した階段状の収納部１８に設けられており、かつカードスロット２１，２２が垂直方向に垂下した状態で形成されているため、ディスプレイ装置１が薄型になってもカードスロット２１，２２を設けるスペースを確保することができる。即ち、ディスプレイ装置１のデザイン形状（円弧状の斜面部１５を有する）に合わせて、スペースを無駄なく利用したカードスロット構造と言える。
【００２１】
また、カードスロット２１，２２の種類よってスロットの長さが異なる場合、複数のスロットが近接して奥行き方向に並んでいるため、スロットの長さを容易に判別でき、カードの誤挿入を防ぐことができる。つまり、複数のカードスロットが単純に横方向に並んで配置されている場合、スロットの長さの違いをすぐに判別できないことがあり、間違ったスロットにカードを挿入してしまうことがあるが、本発明ではそのような誤挿入を軽減できる。
【００２２】
さらに、カードスロット２１，２２は、各種の操作キー１６の近傍に設けられているため、ユーザによる操作部分を集中的に配置できるため、操作性が向上する。また、扉２３を開けたときに、扉の裏面に各カードスロット２１，２２に関する説明（２１ａ，２１ｂ、２２ａ，２２ｂ）が書かれているため、ユーザに対する利便性がより一層向上する。
【００２３】
このように本発明のディスプレイ装置によれば、薄形ディスプレイ装置に適用して有効なカードスロット構造を提供することができ、操作性にも優れたディスプレイ装置を提供することができる。
【図面の簡単な説明】
【００２４】
【図１】本発明に係るディスプレイ装置の一実施形態を示す正面図、及び側面図。
【図２】本発明に係るディスプレイ装置のカードスロット構造を拡大して示す平面図。
【図３】本発明に係るディスプレイ装置のカードスロット構造を示す斜視図。
【符号の説明】
【００２５】
１    ディスプレイ装置
２    ディスプレイ本体
３    スタンド
１１  表示パネル
１２  筐体
１３  前面枠
１４  バックカバー
１５  傾斜部
１６  操作キー
１７  ボード
１８  収納部
２１，２２  カードスロット
２３  扉
【図１】
2005223688.tif 000003
【図２】
2005223688.tif 000004
【図３】
2005223688.tif 000005